(57)【要約】【課題】ハンドピース上にシート状の抵抗素子スイッチを設け、このシート状抵抗素子の上を軽く指で触れてスライドすることにより、動画像から静止画像に変換する際の手振れによる画像の乱れを防止する。【解決手段】ハンドピース１０の先端部にＣＣＤイメージセンサ１１とＬＥＤ光源１２を有し、グリップ部にシート状抵抗素子スイッチ１７を有する。このシート状抵抗素子スイッチ１７上を手で触れてスライドすることにより、前記ＬＥＤ光源１２をオン／オフし、前記ＣＣＤイメージセンサ１１からの映像をケーブル４０を通してディスプレイ上に表示する。ディスプレイ上に動画を表示中に、前記シート状抵抗素子スイッチ１７上を指で軽くスライドすることにより、動画を静止画に切り換える。【選択図】図１
2007143963.tif 000002
【特許請求の範囲】
【請求項１】
先端部にＣＣＤイメージセンサとＬＥＤ光源を、グリップ部にシート状抵抗素子スイッチを有し、該シート状抵抗素子スイッチ上を触れてスライドすることにより、前記ＬＥＤ光源をオン／オフし、前記ＣＣＤイメージセンサからの映像をディスプレイ上に表示し、前記ディスプレイ上に動画を表示中に、前記シート状抵抗素子スイッチ上を接触スライドすることにより、動画を静止画に切り換えるようにしたことを特徴とする歯科用口腔内観察装置。
【請求項２】
前記スライドは、前記シート状抵抗素子上を軸方向又は周方向に接触スライドするものであることを特徴とする請求項１に記載の歯科用口腔内観察装置。
【発明の詳細な説明】
【技術分野】
【０００１】
本発明は、歯科用口腔内観察装置、より詳細には、歯科治療において、口腔内や歯根内等の様子を撮影観察する歯科用口腔内観察装置に関する。
【背景技術】
【０００２】
歯科治療においては、例えば、歯根を切削、成形、洗浄した後、該歯根内に詰め物をする等の治療を行うが、その場合、歯根内が的確に切削、成形されているか否かを観るために口腔内観察装置（スコープ）を使用する。
【０００３】
図２は、本発明が適用される歯科用口腔内観察装置の一例を説明するための要部概略構成図、図３は図２に示したハンドピース１０内の電気回路の詳細を説明するための概略構成図で、図中、１０はハンドピース、２０は画像信号処理装置、３０はディスプレイ、４０はハンドピース１０と画像信号処理装置２０とを結ぶケーブルで、ハンドピース１０の先端部（ヘッド部）１０ａには、ＣＣＤイメージセンサ１１及びＬＥＤ光源１２を有し、口腔内の被観察部位をＬＥＤ光源１２によって照明し、該ＬＥＤ光源１２によって照明された部位の状況をレンズ１３、フィルタ１４等を通してＣＣＤイメージセンサ１１によって撮影し、撮影した画像をハンドピース１０内に設けられたＣＣＵ１５により画像信号に変換し、ケーブル４０を通して画像信号処理装置２０に伝送し、該画像信号処理装置２０により画像処理し、ディスプレイ３０上に表示する。
【０００４】
口腔内観察にあたって、術者は、まず、画像信号処理装置２０のメインスイッチ２１をオンし、その後、ハンドピース１０に設けられている操作ボタン１６を押すと、コントロール線１６ａ，１６ｂ間が接続（オン）され、画像信号処理装置２０は、この操作ボタン１６が押されたことを検知して、ＬＥＤ光源１２を点灯するとともに、ＣＣＵ１５を駆動し、ＣＣＤ１１によって撮像された画像をディスプレイ３０上に動画表示する。この状態で、操作ボタン１６を押すと、表示中の動画像がディスプレイ３０上に静止画表示され、ＣＣＵ１５の駆動が停止され、ＬＥＤ光源１２が消灯される。しかし、操作ボタン１６を押す時に、ハンドピース１０が手振れし、静止画に乱れが生じ、鮮明な映像を表示することができない。
【発明の開示】
【発明が解決しようとする課題】
【０００５】
しかし、上述のごとき操作ボタン付ハンドピースを用いる歯科用口腔内観察カメラは、口腔内或いは歯根内の様子を正確に観察したい場合に、前記ハンドピースに設けられている操作ボタンを押し、動画像を静止画像にして観察するが、その際、操作ボタン１６をオンさせるために押し込みが必要となるため、オンの瞬間に手振れが生じ、ハンドピース（カメラ本体）１０が動いてしまい、ディスプレイ３０上の表示画面に乱れが生じて見えにくい等の不具合があった。
【０００６】
本発明は、上述のごとき実情に鑑みてなされたもので、前述の操作ボタンに代って、シート状の抵抗素子スイッチを用い、このシート状抵抗素子の上を軽く指で触れてスライドすることにより、動画像から静止画像に変換する際の手振れによる画像の乱れを防止することを目的としてなされたものである。
【課題を解決するための手段】
【０００７】
請求項１の発明は、先端部にＣＣＤイメージセンサとＬＥＤ光源を、グリップ部にシート状抵抗素子スイッチを有し、該シート状抵抗素子スイッチ上を触れてスライドすることにより、前記ＬＥＤ光源をオン／オフし、前記ＣＣＤイメージセンサからの映像をディスプレイ上に表示し、前記ディスプレイ上に動画を表示中に、前記シート状抵抗素子スイッチ上を接触スライドすることにより、動画を静止画に切り換えるようにしたことを特徴としたものである。
【０００８】
請求項２の発明は、請求項１の発明において、前記スライドは、前記シート状抵抗素子上を軸方向又は周方向に接触スライドするものであることを特徴としたものである。
【発明の効果】
【０００９】
本発明によると、シート状の抵抗素子スイッチを用い、このシート状抵抗素子の上を軽く指で触れてスライドするようにしたので、動画像から静止画像に変換する際のスイッチ操作に手振れが生じず、静止画像に乱れが生じない。
【発明を実施するための最良の形態】
【００１０】
図１は、本発明による歯科用口腔内観察装置の一実施例を説明するための図で、図１（Ａ）は本発明による操作スイッチを有するハンドピース１０の要部概観構成図で、図１（Ｂ）は図１（Ａ）に示したハンドピース１０の内部電気回路図で、図中、図２及び図３に示した従来の歯科用口腔内観察装置と同様の作用をする部分には図２及び図３の場合と同一の参照番号が付してある。而して、本発明は、図２及び図３に示した従来技術における操作ボタン１６に代って、シート状の抵抗素子スイッチ１７を用い、このシート状抵抗素子１７の上を軽く指で触れてスライドするようにすることにより、動画像から静止画像に変換する際の手振れによる画像の乱れを防止するようにしたものである。
【００１１】
本発明によると、歯科用口腔内観察装置（口腔内カメラ，歯根内視鏡，キャナルスコープ）によると、例えば、ハンドピース１０のグリップ部又はグリップより先端側の表面に、シート状の抵抗素子スイッチ１７が貼られており、このシート状の抵抗素子１７の上に、術者の指を軽く載せて軸方向（前後方向）又は周方向（左右方向）にスライドすると、スライド量に従って抵抗値が変化し、接点１６ａ，１６ｂ間がオン，オフする。なお、スライド方向は、前述のように、軸方向，周方向のいずれでもよいが、周方向にすると、ハンドピースを握った状態での指の移動がより容易である。しかし、本発明は、スライド方向によって制限されるものではなく、任意所望の方向へスライドさせるようにしてもよい。
【図面の簡単な説明】
【００１２】
【図１】本発明による歯科用口腔内観察装置の一実施例を説明するための図である。
【図２】本発明が適用される歯科用口腔内観察装置の一例を説明するための要部概略構成図である。
【図３】図２に示したハンドピース内の電気回路の詳細を説明するための概略構成図である。
【符号の説明】
【００１３】
１０…ハンドピース、１０ａ…ヘッド部、１１…ＣＣＤイメージセンサ、１２…ＬＥＤ光源、１７…シート状抵抗素子スイッチ、２０…画像信号処理装置、３０…ディスプレイ。
【図１】
2007143963.tif 000003
【図２】
2007143963.tif 000004
【図３】
2007143963.tif 000005